(57)【要約】【課題】手軽に仮装をすることができ、しかも、寿司ねたを模した装飾部材の種類、すなわち、寿司ねたの種類を、容易かつ簡単に変えて楽しむことができる仮装用衣服を提案する。特に、幼児用の仮装として最適な仮装用衣服を提案する。【解決手段】寿司ねたを模した装飾部材１０と、装飾部材１０を着脱する幼児用衣服２０により構成される仮装用衣服である。幼児用衣服２０は、少なくとも後ろ身頃の背中部分又は後ろ身頃の腰部分に対応する箇所が雄雌何れか一方の面ファスナー材により形成され、装飾部材１０は、雄雌何れか他方の面ファスナー１２を備え、装飾部材１０を幼児用衣服２０に対して面ファスナー１２により着脱自在に構成する。【選択図】図１
2019183296.tif 000002
【特許請求の範囲】
【請求項１】
寿司ねたを模した装飾部材と、前記装飾部材を着脱する衣服により構成される仮装用衣服において、
前記衣服は、少なくとも後ろ身頃の背中部分又は後ろ身頃の腰部分に対応する箇所が雄雌何れか一方の面ファスナー材により形成され、
前記装飾部材は、雄雌何れか他方の面ファスナーを備え、
前記装飾部材を前記衣服に対して前記面ファスナーにより着脱自在に構成することを特徴とする仮装用衣服。
【請求項２】
寿司ねたを模した装飾部材と、前記装飾部材を着脱する衣服により構成される仮装用衣服において、
前記衣服は、雄雌何れか一方の面ファスナーを後ろ身頃表に備え、
前記装飾部材は、雄雌何れか他方の面ファスナーを備え、
前記衣服及び前記装飾部材に備えた面ファスナーにより、前記装飾部材を前記衣服に対して着脱自在に構成することを特徴とする仮装用衣服。
【請求項３】
前記装飾部材に備えた前記面ファスナーは山葵色であることを特徴とする請求項１又は２に記載の仮装用衣服。
【請求項４】
前記衣服は米粒を模した模様が表されていることを特徴とする請求項１乃至３のいずれか一項に記載の仮装用衣服。
【発明の詳細な説明】
【技術分野】
【０００１】
本発明は、取り換え可能な寿司ねたを模した装飾部材と、当該装飾部材を装着する衣服とを備えた仮装用衣服に関し、特に、寿司ねたを模した装飾部材を容易かつ簡単に変えて楽しむことができる仮装用衣服に関する。
【背景技術】
【０００２】
従来より、仮装用具として、仮装衣装、お面、カツラ、お面とカツラが一体になった被り物の仮装、さらに、パーティー用の仮装コスチューム、キャラクターなどの外観を模した着ぐるみなど、各種のものが多数提案されている。
例えば、特許文献１は、動物（クマ）の表情を立体的にあしらったフードを備えた「フード付き仮装用衣装」である。フードを装着したとき、動物（クマ）の顔は、装着者の頭部前方にあらわれるようになっている。また、特許文献２の「仮装用ぬいぐるみ衣裳」は、中に人が入り催し物の演出に用いることができるものである。
さらに、特許文献３は、パーティグッズの仮装用品として使用される動物耳の発明であり、好みに応じて形をかえることができるものである。
【先行技術文献】
【特許文献】
【０００３】
【特許文献１】意匠登録第１５４４５３４号公報
【０００４】
【特許文献２】意匠登録第１５３３２５３号公報
【０００５】
【特許文献３】特開２００６−３１４３６８号公報
【発明の概要】
【発明が解決しようとする課題】
【０００６】
前述のような「着ぐるみ」は、着ぐるみ自体の構造が堅固で重い。そのため、パーティー参加者を気軽に驚かすことのできるものではない。また、着ぐるみ内部に人が入る必要があり、口・鼻を含む頭部全体が着ぐるみで覆われるため、幼児には危険であり不向きである。
【０００７】
本発明は、このような問題等に鑑みて、仮装者に負担がかかることなく手軽に仮装をすることができる仮装用衣服であって、寿司ねたを模した装飾部材の種類、すなわち、寿司ねたの種類を、容易かつ簡単に変えて楽しむことができる仮装用衣服を提案することを目的とする。とりわけ幼児用の仮装として最適な仮装用衣服を提案する。
【課題を解決するための手段】
【０００８】
本発明の仮装用衣服は、寿司ねたを模した装飾部材と、前記装飾部材を着脱する衣服により構成される仮装用衣服において、前記衣服は、少なくとも後ろ身頃の背中部分又は後ろ身頃の腰部分に対応する箇所が雄雌何れか一方の面ファスナー材により形成され、前記装飾部材は、雄雌何れか他方の面ファスナーを備え、前記装飾部材を前記衣服に対して前記面ファスナーにより着脱自在に構成することを特徴とする。
【０００９】
本発明の仮装用衣服は、寿司ねたを模した装飾部材と、前記装飾部材を着脱する衣服により構成される仮装用衣服において、前記衣服は、雄雌何れか一方の面ファスナーを後ろ身頃表に備え、前記装飾部材は、雄雌何れか他方の面ファスナーを備え、前記衣服及び前記装飾部材に備えた面ファスナーにより、前記装飾部材を前記衣服に対して着脱自在に構成することを特徴とする。
【００１０】
前記装飾部材に備えた前記面ファスナーを山葵色で構成してもよい。
【００１１】
前記衣服は米粒を模した模様を表してもよい。
【発明の効果】
【００１２】
本発明によれば、手軽に仮装をすることができ、しかも、寿司ねたを模した装飾部材の種類、すなわち、寿司ねたの種類を容易かつ簡単に変えて楽しむことができる。特に、幼児用の仮装衣服として最適な仮装用衣服を実現できる。
【図面の簡単な説明】
【００１３】
【図１】本発明の仮装用衣服の使用状態を示す図である。
【図２】本発明の仮装用衣服の正面図の一例である。
【図３】本発明の仮装用衣服の背面図の一例である。
【図４】本発明の仮装用衣服の右側面図の一例である。
【図５】本発明の仮装用衣服の左側面図の一例である。
【図６】本発明の仮装用衣服の底面図の一例である。
【図７】本発明の仮装用衣服の平面図の一例である。
【図８】図２のＡ−Ａ断面図である。
【図９】取り付け前の装飾部材の説明図である。
【図１０】取り付け前の装飾部材の説明図である。
【図１１】他の装飾部材を取り付けた仮装用衣服の一例である。
【図１２】他の装飾部材を取り付けた仮装用衣服の一例である。
【図１３】他の実施形態における幼児用衣服の説明図である。
【発明を実施するための形態】
【００１４】
以下、本発明の実施形態を説明する。なお、ここでは取り換え可能な寿司ねたを模した装飾部材と、当該装飾部材を装着する衣服の一例としての幼児用衣服とを備えた仮装用衣服について本発明を適用した場合について説明する。
本実施形態における仮装用衣服は、寿司ねたを模した装飾部材１０と、当該装飾部材１０を着脱する幼児用衣服２０により構成される仮装用衣服において、幼児用衣服２０は、少なくとも後ろ身頃の背中部分又は後ろ身頃の腰部分に対応する箇所が雄雌何れか一方の面ファスナー材により形成され、装飾部材１０は雄雌何れか他方の面ファスナー１２を備え、装飾部材１０を幼児用衣服２０に対して面ファスナー１２により着脱自在に構成する。
【００１５】
図１は、本発明の仮装用衣服の使用状態を示す図である。図２は、本発明の仮装用衣服の正面図の一例、図３は本発明の仮装用衣服の背面図の一例、図４は本発明の仮装用衣服の右側面図の一例、図５は本発明の仮装用衣服の左側面図の一例、図６は本発明の仮装用衣服の底面図の一例、図７は本発明の仮装用衣服の平面図の一例、図８は図２のＡ−Ａ断面図である。また、図９は取り付け前の装飾部材の説明図、図１０は取り付け前の装飾部材の説明図である。
【００１６】
図1乃至図８に示すように、本実施形態における幼児用衣服２０は、面ファスナー材により形成される。面ファスナー材は、布状のファスナーであって、多数のループからなる雌のファスナーでも、多数のフックからなる雄のファスナーでもよい。幼児用衣服２０の材料としては、雌のファスナーのほうが、柔らかく肌触りがよいため、好適である。
幼児用衣服２０は、上衣と下衣が一体に連結されており、とりわけおむつを交換する際に衣服の着脱が容易にできるようになっている。
【００１７】
また、幼児用衣服２０は、お米（シャリ）をイメージした白色を基調として構成することが好ましい。さらに、幼児用衣服２０は、図２及び図３に示すように米粒を模した模様が表されていることが好ましい。幼児用衣服２０をより一層シャリのように見せることができる。
これにより、仮装時、すなわち、寿司ねたを模した装飾部材１０を幼児用衣服２０に装着した際、よりリアルな寿司の仮装として楽しむことができる。なお、図４乃至図7において幼児用衣服２０の米粒の模様は図示を省略している。
【００１８】
図２乃至図１０に示すように、本実施形態における装飾部材１０は、寿司ねたを模したクッション部１１と、幼児用衣服２０に対して装飾部材１０を着脱するための雄雌何れか他方の面ファスナー１２により構成される。
【００１９】
クッション部１１は、図２乃至図１０に示した寿司ねた「海老」に限らず、図１に示すように種々の寿司ねたのデザインを採用することができる。
また、クッション部１１は内部に中綿、羽毛等を入れて適度な厚みをもって構成することが好ましい。これにより、幼児が転倒した際の身体への衝撃を緩和することが可能になる。幼児の仮装用衣服として最適な構成とすることができる。
【００２０】
クッション部１１には、面ファスナー１２が、縫い付け又は貼り付け等により備えられている。
面ファスナー１２は、幼児用衣服２０の材料として採用した雄雌いずれか一方の面ファスナー材と対になる材料で形成する。特に、上述したように、幼児用衣服により好適な雌の面ファスナー材を幼児用衣服２０の材料として用いた場合には、面ファスナー１２は多数のフックからなる雄のファスナーにより形成する。
【００２１】
また、面ファスナー１２を山葵色で構成すると、仮装時、すなわち、寿司ねたを模した装飾部材１０を幼児用衣服２０に装着した際、左右側面、平面又は底面から僅かに見え隠れする面ファスナー１２が、あたかも山葵が寿司ねたとシャリの間についているように見え、山葵を模した別の部材を要する手間なく、より一層ユーモアのある仮装を演出し楽しむことができる。
【００２２】
上述したように装飾部材１０を幼児用衣服２０と別個に構成したので、幼児用衣服２０のみを洗濯することができる。さらに、1着の幼児用衣服２０に対して、種々の装飾部材１０を容易かつ簡単に交換して様々な仮装を楽しむことができる。
なお、本発明の衣服は、少なくとも後ろ身頃の背中部分又は後ろ身頃の腰部分に対応する箇所が面ファスナー材により形成されればよい。本実施形態では、その一例として幼児用衣服２０全体を面ファスナー材を用いて作成した例について説明した。
【００２３】
図１１及び図１２は他の装飾部材を取り付けた仮装用衣服の一例である。図１１の（Ａ）は正面図、（Ｂ）は背面図、（Ｃ）は右側面図、（Ｄ）は左側面図、（Ｅ）は平面図、（Ｆ）は底面図、（Ｇ）は（Ａ）正面図のＡ−Ａ断面図である。図１２も同様である。なお、図１１及び図１２は、（Ｃ）乃至（Ｆ）において幼児用衣服の米粒の模様は図示を省略している。
図１１は、「マグロ」の寿司ねたを模したクッション部を備えた装飾部材を装着した仮装用衣服の説明図であり、図１２は、「玉子」の寿司ねたを模したクッション部を備えた装飾部材を装着した仮装用衣服の説明図である。図１２において、装飾部材は海苔様の黒い布を備えている。当該布は、例えば、帯の如く身体の前で巻きつけて、例えば、フック、面ファスナー等（不図示）により係止すればよい。
【００２４】
上述した実施形態では、幼児用衣服２０を雄雌何れか一方の面ファスナー材により形成した。他の実施形態として、幼児用衣服２０の後ろ身頃表に雄雌何れか一方の面ファスナーを備えても良い。図１３は、他の実施形態における幼児用衣服２０の説明図である。
【００２５】
他の実施形態における仮装用衣服は、寿司ねたを模した装飾部材１０と、当該装飾部材１０を着脱する幼児用衣服２０により構成される仮装用衣服において、幼児用衣服２０は雄雌何れか一方の面ファスナー２１を後ろ身頃表に備え、装飾部材１０は、雄雌何れか他方の面ファスナー１２を備え、幼児用衣服２０及び装飾部材１０に備えた面ファスナー１２、２１により、装飾部材１０を幼児用衣服２０に対して着脱自在に構成する。
【００２６】
幼児用衣服２０は、図１３に図示するように、雄雌何れか一方の面ファスナー２１を後ろ身頃表に縫い付け、貼り付け等により備える。装飾部材１０は、雄雌何れか他方の面ファスナー１２を縫い付け、貼り付け等により備える。面ファスナー１２、２１は対になる面ファスナーである。そして、これら面ファスナー１２、２１により、装飾部材１０を幼児用衣服２０に対して着脱自在とする。
【００２７】
本発明の仮装用衣服は、手軽に仮装をすることができ、しかも、寿司ねたを模した装飾部材の種類、すなわち、寿司ねたの種類を容易かつ簡単に変えて楽しむことができる。特に、幼児用の仮装として最適な仮装用衣服を実現できる。特に、幼児のハイハイの時期に寿司の仮装がよりマッチして、面白く優れた仮装を楽しむことができる。
【００２８】
本発明の適用範囲は上述した構成に限定されることはない。本発明は、寿司を模した仮装用衣服に対し、広く適用することができる。
【符号の説明】
【００２９】
１０  装飾部材
１１  クッション部
１２  面ファスナー
２０  幼児用衣服
２１  面ファスナー
【図１】
2019183296.tif 000003
【図２】
2019183296.tif 000004
【図３】
2019183296.tif 000005
【図４】
2019183296.tif 000006
【図５】
2019183296.tif 000007
【図６】
2019183296.tif 000008
【図７】
2019183296.tif 000009
【図８】
2019183296.tif 000010
【図９】
2019183296.tif 000011
【図１０】
2019183296.tif 000012
【図１１】
2019183296.tif 000013
【図１２】
2019183296.tif 000014
【図１３】
2019183296.tif 000015